(57)【特許請求の範囲】
【請求項１】
トンネル内壁面(10)に、帯状保持部材(12)上に面ファスナー(14)をかしめ材(16)を介して重合させてなる止着部材(18)を固着させ、表面が合成樹脂シート(20)で、裏面が不織布(22)である防水シート(24)を、防水シート(24)の裏面側を止着部材(18)の面ファスナー(14)に止着させることにより、トンネル(26)内に展張する方法であって、
トンネル(26)内に移動自在に設けられた基台(28)上部に昇降自在に設けられた上部シート押圧部材(36)上に、長さ方向の両端から中央に向けて内側に巻回させた防水シート(24)を載置させ、
この防水シート(24)を、巻揚機構(46)によりテンションを付与させて上部シート押圧部材(36)上から下方へ展開させ、
上部シート押圧部材(36)上の防水シート(24)の展開部を、上部シート押圧部材(36)を上昇させ、この上部シート押圧部材(36)の押圧力により、止着部材(18)に止着させ、
防水シート(24)の下方展開部を、基台(28)の両側に、トンネル(26)の周方向に伸縮自在かつ回動自在に設けられた複数の側部および下部シート押圧部材(48)の伸縮、回動により、止着部材(18)に順次止着させることにより、
トンネル(26)内に防水シート(24)を展張することを特徴とするトンネルへの防水シート展張方法。
【請求項２】
トンネル内壁面(10)に、帯状保持部材(12)上に面ファスナー(14)をかしめ材(16)を介して重合させてなる止着部材(18)を固着させ、表面が合成樹脂シート(20)で、裏面が不織布(22)である防水シート(24)を、防水シート(18)の裏面側を止着部材(18)の面ファスナー(14)に止着させることにより、トンネル(26)内に展張する装置であって、
トンネル(26)内に移動自在に設けられた基台(28)上部に上部シート押圧部材(36)が昇降自在に設けられ、
基台(28)上に、防水シート(24)を展開させると共に、展開時にテンションを付与するための巻揚機構(46)が配設され、
基台(28)の両側に、トンネル(26)の周方向に伸縮自在かつ回動自在に複数の側部および下部シート押圧部材(48)が配設されてなる防水シート展張装置。
【発明の詳細な説明】
【０００１】
【発明の属する技術分野】
本発明は、トンネル内に防水シートを展張する方法およびその装置に関するものである。
【０００２】
【従来の技術】
元来、トンネル内壁面へのコンクリート打設は、まず掘削されていない岩盤側からの水分の浸出防止および岩盤補強のため、トンネルの内壁面に薄層の一次覆工コンクリートを吹付けた後、二次覆工コンクリート側への水分の浸出防止のため、一次覆工コンクリート表面に防水シートを介在させて厚層の二次覆工コンクリートを打設するのが一般的である（図１２参照）。
【０００３】
この二次覆工コンクリート打設前に、トンネル内壁面に予め固着された面ファスナからなる止着部材に、裏面が不織布等からなる防水シートを止着することにより防水シートを展張する方法として、第１に防水シートをトンネルの周方向の一側下端から、中央を経て、他側下端に展張する方法、第２に防水シートをトンネルの周方向の中央から両側下端にそれぞれ展張する方法があった。
【０００４】
第１の方法のとしては、特許第２９５２１６７号に代表される如く、移動架台上にトンネル内壁面と同軸的に取付けられたガイドレールに、防水シートを支持し、防水シートを繰出し、繰出した防水シートをトンネル内壁面に固着された止着部材に一定の押圧力で止着する止着機構を、移動自在に配設させた装置を使用して、防水シートをトンネルの周方向の一側下端から、中央を経て、他側下端に展張していた。
【０００５】
第２の方法のとしては、特許第２６５１９９１号に代表される如く、移動架台中央上部に、昇降自在のシート載置体が設けられ、移動架台の両側に、昇降自在のシート押圧体がそれぞれ設けられた装置を使用して、防水シートをシート載置体上に載置させた後、シート押圧体上に防水シートを作業員が展開させ、シート押圧体を上昇させ、シート押圧体上の防水シートをトンネル内壁面に固定具を介して作業員が固定することにより、防水シートをトンネルの周方向の中央から両側下端にそれぞれ展張していた。
【０００６】
また、上記いずれの方法においても、防水シートの止着部材としては、トンネル内壁面への固着を確実にすると共に、固着作業を極めて容易にするため、帯状保持部材上に面ファスナーを重合させた構造のものを使用するようになってきている（図１０および図１１参照）。
【０００７】
この止着部材をトンネル内壁面に固着するには、かしめ材部分にコンクリート釘を打込むことにより、コンクリート釘の頭が面ファスナーを貫通することを防止でき、この止着部材に止着する防水シートの固定強度を向上させることができると共に、作業性を向上させることができる。
【０００８】
なお、図１０〜図１２中、１２は帯状保持部材、１４は面ファスナー、１６はかしめ材、１８は止着部材、６４はトンネル、６６はトンネル内壁面、６８は一次覆工コンクリート、７０は防水シート、７２は二次覆工コンクリート、７４は岩盤を示す。
【０００９】
【発明が解決しようとする課題】
従来は前記の通り、トンネルに防水シートを展張する第１の方法においては、防水シートをトンネルの周方向の一側下端から、中央を経て、他側下端へと展張するため、作業が長時間にわたり作業性が良くなく、トンネル周が大きい程、展張する防水シートが長尺で大重量となり、この大重量の防水シートを止着部材に止着する止着機構が大型化するばかりか、装置全体も大型化し、コストが高騰することが問題となっていた。
【００１０】
また、トンネルに防水シートを展張する第２の方法においては、防水シートの装置への載置支持は、シート載置体およびシート押圧体の二種の構成部材により行われるため、シート載置体とシート押圧体間への防水シートの移載作業が必要となり、この防水シートの移載作業を含め、防水シートの載置、展開作業は全て作業員の人力により行うため、作業能率が良くないことが問題となっていた。
【００１１】
また、第１の方法においては、止着機構がガイドレールに配設される都合上、繰出した防水シートを止着部材に一定の押圧力でしか止着できず、また第２の方法においては、作業員の人力により防水シートを止着部材へ止着するため、防水シートの止着部材への押圧力が小さく、いずれの方法においても、展開された防水シートに垂れ、緩み等が発生し易く、防水シートの展張における均一性に欠けることが問題となっていた。
【００１２】
本発明は、このような欠点に鑑み、作業性に優れ、防水シートの展張性に優れたトンネルへの防水シート展張方法および装置を提供することを目的とするものである。
【００１３】
【課題を解決するための手段】
本発明は、トンネル内壁面に、帯状保持部材上に面ファスナーをかしめ材を介して重合させてなる止着部材を固着させ、表面が合成樹脂シートで、裏面が不織布である防水シートを、防水シートの裏面側を止着部材の面ファスナーに止着させることにより、トンネル内に展張する方法および装置であって、トンネル内に移動自在に設けられた基台上部に昇降自在に設けられた上部シート押圧部材上に、長さ方向の両端から中央に向けて内側に巻回させた防水シートを載置させ、防水シートを巻揚機構によりテンションを付与させて上部シート押圧部材上から下方へ展開させ、上部シート押圧部材上の防水シートの展開部を、上部シート用押圧部材を上昇させ、この上部シート押圧部材の押圧力により、止着部材に止着させ、防水シートの下方展開部を、基台の両側に、トンネルの周方向に伸縮自在かつ回動自在に設けられた複数の側部および下部シート押圧部材の伸縮、回動により、止着部材に順次止着させることにより、トンネル内に防水シートを展張することを特徴とするものである。
【００１４】
【発明の実施の形態】
本発明に係るトンネルへの防水シート展張装置は、トンネル内壁面１０に、帯状保持部材１２上に面ファスナー１４をかしめ材１６を介して重合させてなる止着部材１８を、所定間隔毎に多数固着させ、表面が合成樹脂シート２０で、裏面が不織布２２である防水シート２４を、防水シート２４の裏面側を止着部材１８の面ファスナー１４に止着させることにより、トンネル２６内に展張するためのものであり、その構成を、図１〜図１１に基づいて、以下に詳述する。
【００１５】
本発明で使用する防水シート２４は、トンネル２６の長さ方向に対する幅が約４〜１０ｍであり、また止着部材１８の固着方向はトンネル２６の長さ方向である。
【００１６】
トンネル２６内に移動自在に基台２８が設けられている。
【００１７】
本例において、基台２８は二対の脚体３０と、二対の脚体３０の上部間に構設された架体３２と、脚体３０および架体３２の適所に設けられた足場３４とにより枠状に形成されている。
【００１８】
基台２８の上部に、トンネル内壁面１０に対応し、かつ防水シート２４に対応する幅を有する上部シート押圧部材３６が昇降自在、かつ前後方向に移動自在に設けられている。
【００１９】
本例において、上部シート押圧部材３６は略１／４円弧状であり、昇降手段は二対の昇降シリンダー３８によるものである。
【００２０】
また、上部シート押圧部材３６の前後方向への移動は、基台２８に上部シート押圧部材３６をスライド自在に配設させ、横送り機構４０により上部シート押圧部材３６を移動させる。
【００２１】
上部シート押圧部材３６の中央に略凹状のシート保持部４２を形成させてある。
【００２２】
上部シート押圧部材３６上にエアーチューブ４４が、上部シート押圧部材３６の長さ方向（図２および図５において左右方向）に複数列、配設されている。
【００２３】
本例において、エアチューブ４４はトンネル内壁面１０に固着された止着部材１８に対応させて上部シート押圧部材３６上に長さ方向に３列、配設させてある。
【００２４】
基台２８上に、防水シート２４を展開させると共に、展開時にテンションを付与するための巻揚機構４６が配設されている。
【００２５】
本例において、巻揚機構４６は、ウインチであり、基台２８上の上部シート押圧部材３６の中央に２個、配設させてある。
【００２６】
基台２８の両側に、トンネル２６の周方向に伸縮自在かつ回動自在に複数の側部および下部シート押圧部材４８が配設されている。
【００２７】
本例において、側部および下部シート押圧部材４８は、基台２８の両側に、基台２８の高さ方向に所定間隔を隔てて回動自在に軸支された伸縮ジャッキ５０と、同一高さ位置の各伸縮ジャッキ５０間を連結させると共に、連結させた各伸縮ジャッキ５０の先端部分に配設された弾性体５２と、により構成されている。
【００２８】
この各同一高さ位置の伸縮ジャッキ５０を連結され、この連結された伸縮ジャッキ５０の先端部分に弾性体５２が配設されてなる側部および下部押圧部材４８を、トンネル内壁面１０に沿わせて上下に伸縮、回動させることにより、展開された防水シート２４の下方展開部を、トンネル内壁面１０の凹凸形状に沿わせ、垂れ、弛みなく均一に止着部材１８に止着させることが可能となる。
【００２９】
なお、図中５４は基台２８の走行レール、５６は駆動ローラー、５８は防水シート２４の両端の接合部、６０は防水シート２４の接合部を溶着する溶着機を示す。
【００３０】
本発明に係るトンネルの防水シート展張装置を使用してトンネル内壁面１０に防水シート２８を展張する方法を以下に詳述する。
【００３１】
本発明において、トンネル内壁面１０は、トンネル掘削面に吹付けた薄層の一次覆工コンクリート表面のことをいう。
【００３２】
まず、展張装置をトンネル１０の所定位置まで移動させる。
【００３３】
次に、上部シート押圧部材３６上に、長さ方向の両端から中央に向けて内側に巻回された防水シート２４を載置させる。
【００３４】
この際、防水シート２４は、吊揚機（図示略）により基台２８上に吊揚げ、上部シート押圧部材３６上に載置し、巻揚機構４２に支持させる（図２参照）。
【００３５】
次に、既に展張された防水シート２４の接合部５８と、今回展張する防水シート２４との接合部５８とが重合するように、上部シート押圧部材３６を、横送り機構４０を介して移動させ、防水シート２４の位置を調整する。
【００３６】
次に、巻揚機構４６によりテンションを付与しながらトンネル２６の幅方向の中央から下部に向けて防水シート２４をを上部シート押圧部材３６に沿わて展開させる。
【００３７】
この際、展開させる防水シート２４は、巻揚機構４６に支持させながらテンションが付与された状態であるため、展開時に防水シート２４が垂れ、緩むことがなく、均一に防水シート２４を展開させることができる（図３参照）。
【００３８】
次に、上部シート押圧部材３６上のエアチューブ４４にエアーを供給し、エアーチューブ４４を膨張させると共に、上部シート押圧部材３６を上昇させ、膨張したエアチューブ４４が防水シート２４に当接し、トンネル内壁面１０に固着された止着部材１８に防水シート２４を押付け、防水シート２４をトンネル内壁面１０の止着部材１２に止着する（図４〜図６参照）。
【００３９】
この際、防水シート２４の止着部材１８への押圧は、エアチューブ４４により行うため、凹凸形状であるトンネル内壁面１０に固着された止着部材１８の表面も凹凸形状となり、この凹凸面に防水シート２４を確実に合致させて止着することが可能となる。
【００４０】
次に、上部シート押圧部材３６を下降させ、巻揚機構４６によりテンションを付与しながら防水シート２４を基台２８の下方へさらに展開させる。
【００４１】
次に、展開された防水シート２４の下方展開部を、基台２８両側の側部および下部シート押圧部材４８を、トンネル２６の周方向に伸縮かつ回動させ、この伸縮および回動により、止着部材１８に順次止着させる（図７参照）。
【００４２】
この際、各同一高さ位置の伸縮ジャッキ５０を連結され、この連結された伸縮ジャッキ５０の先端部分に弾性体５２が配設されてなるた側部および下部押圧部材４８を、トンネル内壁面１０に沿わせて上下に伸縮、回動させることにより、展開された防水シート２４の下方展開部を、トンネル内壁面１０の凹凸形状に沿わせ、垂れ、弛みなく均一に止着部材１８に止着させることが可能となる。
【００４３】
次に、既に展張された防水シート２４の接合部５８と、今回展張した防水シート２４の結合部５８とを、溶着機６０を介して溶着させて重合する（図８および図９参照）。
【００４４】
このように、トンネル２６の幅方向の中央部から両側下部に向けて防水シート２４を順次止着させることにより、展張装置に対応する位置のトンネル２６内に防水シート２４を展張する。
【００４５】
この際、トンネル２６の幅方向の中央部から両側下部への防水シート２４を、両側同時進行によるトンネル２６内に防水シート２４を展張することにより、展張作業時間を半分に短縮することができる。
【００４６】
次に、トンネル２６の堀削側に展張装置を移動させ、その位置で別の防水シート２４を展張する。
【００４７】
この作業を順次繰り返し行うことにより、トンネル２６内に防水シート２４を展張する。
【００４８】
また、予め基台２８上に多数の巻回された防水シート２４を載置させることにより、防水シート２４の供給回数を削減できる。
【００４９】
なお、本例において、防水シート２４は、長さ方向の両端から中央に向けて内側に巻回させたものであるが、長さ方向の一側から他側に向けて巻回させたものを２個を一対としてすることは自明のことである。
【００５０】
また、上部シート押圧部材３６の昇降手段は昇降シリンダー３８に限定されることはなく、ジャッキ他の昇降可能な手段であればよい。
【００５１】
また、基台２８の脚体３０に昇降手段、例えば昇降シリンダー等を装着させることは自由である。
【００５２】
また、トンネル内壁面１０へ固着させた止着部材１８の個数、エアーチューブ４４のを上部シート押圧部材３８への装着個数、は本例に限定されることはなく、状況に応じて増減させることは自由である。
【００５３】
【発明の効果】
本発明に係るトンネルへの防水シート展張方法および装置によれば、上部シート押圧部材上に防水シートを載置させ、この防水シートを巻揚機構によりテンションを付与しながら上部シート押圧部材上から下方へ展開させ、上部シート押圧部材上の防水シートの展開部を、上部シート押圧部材を上昇させ、この上部シート押圧部材の押圧力により止着部材に止着させ、防水シートの下方展開部を、側部および下部シート押圧部材の伸縮および回動による押圧力により止着部材に順次止着させることにより、トンネル内に防水シートを展張するため、作業が極めて容易となるばかりか、作業効率の向上を図ることができる。
【００５４】
また、上部シート押圧部材上を展開させる防水シートは、巻揚機構により常時テンションが付与された状態となると共に、上部シート押圧部材の上昇による押圧力、側部および下部シート押圧部材の伸縮、回動による押圧力、によりそれぞれ押圧するため、防水シートの垂れ、緩み等が発生することが全くなく、均一に防水シートを配設させることができ、防水効果を向上させることができる。
【図面の簡単な説明】
【図１】本発明に係るトンネルの防水シート展張装置の正面図。
【図２】同、側面図。
【図３】同、防水シート展開状態を示す要部正面図。
【図４】防水シートの上方展開部の止着部材への止着状態を示す正面図。
【図５】同、側面図。
【図６】防水シートの止着状態を示す要部拡大正面図。
【図７】防水シートの下方展開部の止着部材への止着状態を示す正面図。
【図８】防水シートの止着部材へ止着状態を示す要部拡大側面図。
【図９】同、防水シートの接合部の溶着状態を示す拡大側面図。
【図１０】止着部材の正面図。
【図１１】同、側面図。
【図１２】防水シートを配設したトンネル断面を示す正面図。
【符号の説明】
１０  トンネル内壁面
１２  帯状保持部材
１４  面ファスナー
１６  かしめ材
１８  止着部材
２０  合成樹脂シート
２２  不織布
２４  防水シート
２６  トンネル
２８  基台
３６  上部シート押圧部材
４６  巻揚機構
４８  側部および下部シート押圧部材
【図１】
0004262387.tif 000002
【図２】
0004262387.tif 000003
【図３】
0004262387.tif 000004
【図４】
0004262387.tif 000005
【図５】
0004262387.tif 000006
【図６】
0004262387.tif 000007
【図７】
0004262387.tif 000008
【図８】
0004262387.tif 000009
【図９】
0004262387.tif 000010
【図１０】
0004262387.tif 000011
【図１１】
0004262387.tif 000012
【図１２】
0004262387.tif 000013